(57)【要約】【課題】モーター取付け板の剛性を高め、変形が少なくまた本体運転時の静音化を図った空気調和機を提供する。【解決手段】本体ベース５上に吸込口１０ｂに対向して配された熱交換器２と、前部に位置し吹出口１０ａを有する前板６と、前記吹出口１０ａに対向して配されたファン３を駆動するモーター４と、下端が前記本体ベース５上に固着され前記モーター４を取り付けたモーター取付け板１とを備え、前記モーター取付け板１の上端に、前記熱交換器２を固定する熱交換機固定片１ａと、前記前板６に固着される前板固定片１ｂを延設したもので、モーター取付け板１の剛性が強くなり、製品の運送時のモーター取付け板１の変形を防止し、モーター取付け板１の変形によるモーター４と熱交換器２の距離の不正規による本体運転時の振動、異音の発生を抑制することができる。【選択図】図１
2005241032.tif 000002
【特許請求の範囲】
【請求項１】
本体ベース上に吸込口に対向して配された熱交換器と、前部に位置し吹出口を有する前板と、前記吹出口に対向して配されたファンを駆動するモーターと、下端が前記本体ベースに固着され前記モーターを取り付けたモーター取付け板とを備え、前記モーター取付け板の上端に、前記熱交換器を固定する熱交換機固定片と、前記前板に固着される前板固定片を延設したことを特徴とする空気調和機。
【請求項２】
熱交換機固定片の端部よりモーター側でかつ熱交換機の幅長さに略等しい位置に折り曲げ部を設けたことを特徴とする請求項１記載の空気調和機。
【発明の詳細な説明】
【技術分野】
【０００１】
本発明は、空気調和機に関するもので、特に室外ユニット内のモーター取付け板に関するものである。
【背景技術】
【０００２】
従来の空気調和機の室外ユニット内のモーター取付け板の取り付け構造について、図５を用いて説明する。
【０００３】
図において、１は、下端が本体ベース（図示せず）に固着され、ファン（図示せず）を駆動するモーター（図示せず）を取り付けたモーター取付け板で、前記モーター取付け板１の上端で熱交換器２を固定するようにしていた（例えば、特許文献１参照）。
【特許文献１】実開平６−３５８３７号公報
【発明の開示】
【発明が解決しようとする課題】
【０００４】
しかしながら、上記従来の構成では、モーター取付け板１の上端で熱交換器２だけを固定する構造になっているため空気調和機の運送時にモーター取付け板１が傾きモーターと熱交換器２の距離が不正規になり、本体の正常な運転ができなくなるという課題があった。
【０００５】
また、モーター取付け板１が片持ち構造になっているため、製品本体の剛性が弱く、本体運転時に振動やビビリ音等が発生しやすいという課題を有していた。
【０００６】
また、上記従来の構成では、熱交換器の列数が増えた場合、モーター取付け板１の取付け構造が片持ちで剛性が弱いため、モーター取付け板１の傾きがさらに大きくなり本体運転時にさらに大きな振動等が起こるという課題を有していた。
【０００７】
本発明は、上記従来の課題を解決するもので、製品本体の剛性が強く、輸送時の変形がすくなく、しかも運転時に振動やビビリ音の少ない空気調和機を提供することを目的とする。
【課題を解決するための手段】
【０００８】
前記従来の課題を解決するために、本発明の空気調和機は、本体ベース上に吸込口に対向して配された熱交換器と、前部に位置し吹出口を有する前板と、前記吹出口に対向して配されたファンを駆動するモーターと、下端が前記本体ベースに固着され前記モーターを取り付けたモーター取付け板とを備え、前記モーター取付け板の上端に、前記熱交換器を固定する熱交換器固定片と、前記前板に固着される前板固定片を延設したもので、モーター取付け板の剛性が強くなり、製品の運送時のモーター取付け板の変形を防止し、モーター取付け板の変形によるモーターと熱交換器の距離の不正規による本体運転時の振動、ビビリ音の発生を抑制することができる。
【発明の効果】
【０００９】
本発明の空気調和機は、モーター取付け板の剛性が高まることにより、製品本体の剛性も強く、輸送時の変形がすくなく、しかも運転時の振動やビビリ音が極めて少ないものである。
【発明を実施するための最良の形態】
【００１０】
第１の発明は、本体ベース上に吸込口に対向して配された熱交換器と、前部に位置し吹出口を有する前板と、前記吹出口に対向して配されたファンを駆動するモーターと、下端が前記本体ベースに固着され前記モーターを取り付けたモーター取付け板とを備え、前記モーター取付け板の上端に、前記熱交換器を固定する熱交換器固定片と、前記前板に固着される前板固定片を延設したもので、モーター取付け板の剛性が強くなり、製品の運送時のモーター取付け板の変形を防止し、モーター取付け板の変形によるモーターと熱交換器の距離の不正規による本体運転時の振動、ビビリ音の発生を抑制することができる。
【００１１】
第２の発明は、特に、第１の発明の熱交換器固定片の端部よりモーター側でかつ熱交換器の幅長さに略等しい位置に折り曲げ部を設けたもので、例えば熱交換器が２列設けられた場合に、前記折り曲げ部を熱交換器の１列目と２列目の間に差し込むようにすれば、熱交換器の固定をさらに強固にすることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の室外ユニットの縦断面図で、図２は、同室外ユニットに組み込まれたモーター取付け板の斜視図である。
【００１４】
図１および図２において、室外ユニット１０は、熱交換器２と、熱交換２に風を通すためのファン３と、ファン３を駆動するモーター４と、モーター４が取り付けられたモーター取付け板１と、本体ベース５と、前部に位置すると共に吹出口１０ａを有する前板６を備えている。
【００１５】
熱交換器２は、室外ユニット１０の本体ベース５上に吸込口１０ｂに対向して配され、ファン３およびモーター４からなる送風機は吹出口１０ａに対向して配設されている。
【００１６】
モーター４を取付けたモーター取付け板１の下端は本体ベース５上に固着され、上端には、熱交換器２側に直角に折り曲げられ同熱交換器２を固定する熱交換器固定片１ａと、前板６側に直角に折り曲げられ同前板６の上部に固着される前板固定片１ｂが延設されている。
【００１７】
以上のように、本実施の形態によれば、前記モーター取付け板１の上端に延設された熱交換器固定片１ａが熱交換器２を固定し、反対側に延設された前板固定片１ｂが前板６に固着されることにより、モーター取付け板１の剛性が強くなり、輸送時のモーター取付け板１の変形を防止することができると共に、モーター取付け板１の変形による本体運転時の振動やビビリ音の発生を確実に抑制することができる。
【００１８】
また、本実施の形態では、図２に示すように、モーター取付け板１の上端は３分割され、両側部分を熱交換器固定片１ａとし、中央部を前板固定片１ｂとしているので、輸送時にモーター取付け板１に衝撃が加わってもそれが均等に加わり、モーター取付け板１に捻り力が加わる事が無い。勿論、３分割した内の両側部分を前板固定片１ｂとし、中央部を熱交換器固定片１ａとしても同じ効果が得られることは言うまでも無い。
【００１９】
（実施の形態２）
図３は、本発明の第２の実施の形態における空気調和機の室外ユニットの縦断面図、図４は、同室外ユニットに組み込まれたモーター取付け板の斜視図である。なお、上記実施の形態と同一部分については同一符号を付してその説明を省略する。
【００２０】
図に示すように、本実施の形態は、  モーター取付け板１の熱交換器固定片１ａで複数の熱交換器を固定するようにするものである。
【００２１】
具体的には、図に示すように、熱交換器固定片１ａの一部に、２列からなる熱交換器２の１列目の熱交換器２ａと２列目の熱交換器２ｂとの間に差し込まれる折り曲げ部１ｃを設けたもので、その位置は、熱交換器固定片１ａの端部よりモーター４側で前記１列目の熱交換器２ａの巾長さに略等しい位置に設けられている。
【００２２】
以上のように、本実施の形態によれば、モーター取付け板１の上端に延設された熱交換器固定片１ａの一部に設けた折り曲げ部１ｃが１列目の熱交換器２ａと２列目の熱交換器２ｂの間に差し込まれているため、熱交換器２の固定がさらに強固となるものである。
【産業上の利用可能性】
【００２３】
以上のように、本発明にかかる空気調和機は、モーター取付け板の剛性が著しく強化されるので、輸送中のモーター取付け板の変形や、本体運転時の振動、ビビリ音の発生を確実に抑制することができるもので、空気調和機に限らず、空気清浄機などモーター等の振動部材を固定する取付部材を備えた各種機器、装置にも適用できる。
【図面の簡単な説明】
【００２４】
【図１】本発明の実施の形態１における空気調和機の室外ユニットの縦断面図
【図２】同室外ユニットに組み込まれたモーター取付け板の斜視図
【図３】本発明の実施の形態２における空気調和機の室外ユニットの縦断面図
【図４】同室外ユニットに組み込まれたモーター取付け板の斜視図
【図５】従来の空気調和機の室外ユニットの要部縦断面図
【符号の説明】
【００２５】
１  モーター取付け板
１ａ  熱交換器固定片
１ｂ  前板固定片
１ｃ  折り曲げ部
２  熱交換器
３  ファン
４  モーター
５  本体ベース
６  前板
１０  室外ユニット
【図１】
2005241032.tif 000003
【図２】
2005241032.tif 000004
【図３】
2005241032.tif 000005
【図４】
2005241032.tif 000006
【図５】
2005241032.tif 000007